(57)【要約】【課題】同一トランスポートストリーム内に、同一の放送番組データを伝送する複数の編成チャンネルと、当該複数の編成チャンネルの伝送する放送番組データと異なる放送番組データを伝送する編成チャンネルが存在する場合に、チャンネル割当てキーにより効率的なチャンネル選局操作を行うことができるデジタル放送受信装置を提供する。【解決手段】デジタルテレビジョン受像機１００において、キー操作された一のダイレクト選局キー２２に出力中の編成チャンネルが割り当てられていると判断され、更に、特定された一の編成チャンネルが出力中の編成チャンネルとイベント共有していると判断された場合に、当該イベント共有している一の編成チャンネルへの切り替えがスキップされるとともに、同一ＴＳに含まれる複数の編成チャンネルのうち出力中の編成チャンネルとイベント共有していないチャンネルに切り替えが行われる。【選択図】図１
2008263534.tif 000002
【特許請求の範囲】
【請求項１】
複数の編成チャンネルの放送番組データが多重化されたトランスポートストリームを受信する受信手段と、
同一トランスポートストリームに含まれる前記複数の編成チャンネルが割り当てられたチャンネル割当てキーと、チャンネルアップダウンキーと、を備え、ユーザによるキー操作を受け付けるキー操作部と、
前記キー操作部における前記チャンネルアップダウンキーが押下される度に、前記受信手段により受信されるトランスポートストリームに含まれる複数の編成チャンネルの中から、編成チャンネルを順次切り替える順次切替手段と、
前記受信手段により受信される前記トランスポートストリームに含まれる複数の編成チャンネルのうち、切り替えられた編成チャンネルの放送番組データに基づいて出力を行う出力手段と、
前記受信手段により受信される前記トランスポートストリームに含まれる編成チャンネルの放送番組データから、イベント共有情報を抽出する抽出手段と、
前記キー操作部における前記一のチャンネル割当てキーのキー操作に基づいて、キー操作された当該一のチャンネル割当てキーに、前記出力手段により出力中の放送番組データの編成チャンネルが割り当てられているか否かを判断する第１判断手段と、
前記第１判断手段により、キー操作された前記一のチャンネル割当てキーに、前記出力手段により出力中の放送番組データの編成チャンネルが割り当てられていると判断された場合に、キー操作された当該チャンネル割当てキーに割り当てられた前記複数の編成チャンネルの中から一の編成チャンネルを、所定の順番に基づいて特定する特定手段と、
前記特定手段により特定された一の編成チャンネルが、前記出力手段により出力中の編成チャンネルとイベント共有しているか否かを、前記抽出手段により抽出された前記イベント共有情報に基づいて判断する第２判断手段と、
前記第２判断手段により、前記特定手段により特定された一の編成チャンネルが、前記出力手段により出力中の編成チャンネルとイベント共有していると判断された場合に、当該イベント共有している一の編成チャンネルへの切り替えをスキップするとともに、前記出力手段により出力中の編成チャンネルと同一トランスポートストリームに含まれる複数の編成チャンネルのうち、出力手段により出力中の編成チャンネルとイベント共有していないチャンネルに切り替えを行う切替手段と、
を備えることを特徴とするデジタル放送受信装置。
【請求項２】
複数の編成チャンネルの放送番組データが多重化されたトランスポートストリームを受信する受信手段と、
同一トランスポートストリームに含まれる前記複数の編成チャンネルが割り当てられたチャンネル割当てキーを備え、ユーザによるキー操作を受け付けるキー操作部と、
前記受信手段により受信される前記トランスポートストリームに含まれる複数の編成チャンネルのうち、切り替えられた編成チャンネルの放送番組データに基づいて出力を行う出力手段と、
前記受信手段により受信される前記トランスポートストリームに含まれる編成チャンネルの放送番組データから、イベント共有情報を抽出する抽出手段と、
前記キー操作部における前記一のチャンネル割当てキーのキー操作に基づいて、キー操作された当該一のチャンネル割当てキーに、前記出力手段により出力中の放送番組データの編成チャンネルが割り当てられているか否かを判断する第１判断手段と、
前記第１判断手段により、キー操作された前記一のチャンネル割当てキーに、前記出力手段により出力中の放送番組データの編成チャンネルが割り当てられていると判断された場合に、キー操作された当該チャンネル割当てキーに割り当てられた前記複数の編成チャンネルの中から一の編成チャンネルを、所定の順番に基づいて特定する特定手段と、
前記特定手段により特定された一の編成チャンネルが、前記出力手段により出力中の編成チャンネルとイベント共有しているか否かを、前記抽出手段により抽出された前記イベント共有情報に基づいて判断する第２判断手段と、
前記第２判断手段により、前記特定手段により特定された一の編成チャンネルが、前記出力手段により出力中の編成チャンネルとイベント共有していると判断された場合に、当該イベント共有している一の編成チャンネルへの切り替えをスキップするとともに、前記出力手段により出力中の編成チャンネルと同一トランスポートストリームに含まれる複数の編成チャンネルのうち、出力手段により出力中の編成チャンネルとイベント共有してないチャンネルに切り替えを行う切替手段と、
を備えることを特徴とするデジタル放送受信装置。
【発明の詳細な説明】
【技術分野】
【０００１】
本発明は、多重放送にかかるデジタル放送信号を受信するデジタル放送受信装置に関する。
【背景技術】
【０００２】
デジタル放送の分野では、一つのトランスポートストリーム内に、複数のＳＤ（Standard Definition）番組を多重化して伝送する多重放送が行われている。
デジタル放送受信装置において、多重放送にかかるチャンネルを選局する方法としては、受信中の局と同一の選局信号を入力して出力するテレビサービスを切り替える方法（例えば、特許文献１参照）の他、選局したいチャンネルを予めダイレクト選局キーに割り当てておく方法、複数桁のチャンネル番号を入力して選局する方法、チャンネルアップダウンキーにより選局する方法等が知られている。
【０００３】
また、近年では、一つのトランスポートストリーム内の複数のチャンネル（編成チャンネル）で、同一の放送番組データを伝送するイベント共有（番組共有）が行われている場合がある。同一トランスポートストリーム内でイベント共有が行われている場合には、ユーザがチャンネルを切り替えても、同一の放送番組データが再び選局されてしまうこととなるため、選局操作を効率的に行うことができず、ユーザにとって使い勝手が悪いという問題があった。
そこで、例えば、特許文献２には、同一トランスポートストリーム内において、同時刻に複数のチャンネル番号で同一のコンポーネント群が送信されている場合に、複数のチャンネルを一つのチャンネルとして扱ってチャンネル順次選局時の選局及び表示を行い、同一イベントのチャンネルを複数回選局してユーザに提示することがないチャンネル選局方法が開示されている。
また、特許文献３には、ＴＳ情報記述子内のリモコンキーＩＤが、複数の放送局に重複して割り当てられた場合でも、重複する放送局の一つを通常的に選局しつつ他の放送局についてはサブ的に選局することができるディジタル放送受信装置が提案されている。
【特許文献１】特開２００３−３１９２７４号公報
【特許文献２】特開２００５−２１８１３１号公報
【特許文献３】特開２００４−０１５１３８号公報
【発明の開示】
【発明が解決しようとする課題】
【０００４】
しかしながら、上記特許文献２は、チャンネルの順次選局に関する技術であり、リモコンに備わる、チャンネルが予め割り当てられたチャンネル割当てキー（ダイレクト選局キー）によるチャンネル選局には対応していない。
また、上記特許文献３の技術によれば、通常選局される放送局を選局した後に、所定のボタンを押下することにより、サブ的な放送局を選局することができるが、同一トランスポートストリーム内に、イベント共有をする複数のチャンネルと、イベント共有をしていないチャンネルとが、両方存在する場合には、効率的なチャンネル選局を行うことはできない。
【０００５】
本発明の課題は、同一トランスポートストリーム内に、同一の放送番組データを伝送する複数の編成チャンネルと、当該複数の編成チャンネルの伝送する放送番組データと異なる放送番組データを伝送する編成チャンネルが存在する場合に、チャンネル割当てキーにより効率的なチャンネル選局操作を行うことができるデジタル放送受信装置を提供することである。
【課題を解決するための手段】
【０００６】
上記課題を解決するため、請求項１に記載の発明は、デジタル放送受信装置において、複数の編成チャンネルの放送番組データが多重化されたトランスポートストリームを受信する受信手段と、
同一トランスポートストリームに含まれる前記複数の編成チャンネルが割り当てられたチャンネル割当てキーと、チャンネルアップダウンキーと、を備え、ユーザによるキー操作を受け付けるキー操作部と、
前記キー操作部における前記チャンネルアップダウンキーが押下される度に、前記受信手段により受信されるトランスポートストリームに含まれる複数の編成チャンネルの中から、編成チャンネルを順次切り替える順次切替手段と、
前記受信手段により受信される前記トランスポートストリームに含まれる複数の編成チャンネルのうち、切り替えられた編成チャンネルの放送番組データに基づいて出力を行う出力手段と、
前記受信手段により受信される前記トランスポートストリームに含まれる編成チャンネルの放送番組データから、イベント共有情報を抽出する抽出手段と、
前記キー操作部における前記一のチャンネル割当てキーのキー操作に基づいて、キー操作された当該一のチャンネル割当てキーに、前記出力手段により出力中の放送番組データの編成チャンネルが割り当てられているか否かを判断する第１判断手段と、
前記第１判断手段により、キー操作された前記一のチャンネル割当てキーに、前記出力手段により出力中の放送番組データの編成チャンネルが割り当てられていると判断された場合に、キー操作された当該チャンネル割当てキーに割り当てられた前記複数の編成チャンネルの中から一の編成チャンネルを、所定の順番に基づいて特定する特定手段と、
前記特定手段により特定された一の編成チャンネルが、前記出力手段により出力中の編成チャンネルとイベント共有しているか否かを、前記抽出手段により抽出された前記イベント共有情報に基づいて判断する第２判断手段と、
前記第２判断手段により、前記特定手段により特定された一の編成チャンネルが、前記出力手段により出力中の編成チャンネルとイベント共有していると判断された場合に、当該イベント共有している一の編成チャンネルへの切り替えをスキップするとともに、前記出力手段により出力中の編成チャンネルと同一トランスポートストリームに含まれる複数の編成チャンネルのうち、出力手段により出力中の編成チャンネルとイベント共有していないチャンネルに切り替えを行う切替手段と、
を備えることを特徴とする。
【０００７】
請求項２に記載の発明は、デジタル放送受信装置において、複数の編成チャンネルの放送番組データが多重化されたトランスポートストリームを受信する受信手段と、
同一トランスポートストリームに含まれる前記複数の編成チャンネルが割り当てられたチャンネル割当てキーを備え、ユーザによるキー操作を受け付けるキー操作部と、
前記受信手段により受信される前記トランスポートストリームに含まれる複数の編成チャンネルのうち、切り替えられた編成チャンネルの放送番組データに基づいて出力を行う出力手段と、
前記受信手段により受信される前記トランスポートストリームに含まれる編成チャンネルの放送番組データから、イベント共有情報を抽出する抽出手段と、
前記キー操作部における前記一のチャンネル割当てキーのキー操作に基づいて、キー操作された当該一のチャンネル割当てキーに、前記出力手段により出力中の放送番組データの編成チャンネルが割り当てられているか否かを判断する第１判断手段と、
前記第１判断手段により、キー操作された前記一のチャンネル割当てキーに、前記出力手段により出力中の放送番組データの編成チャンネルが割り当てられていると判断された場合に、キー操作された当該チャンネル割当てキーに割り当てられた前記複数の編成チャンネルの中から一の編成チャンネルを、所定の順番に基づいて特定する特定手段と、
前記特定手段により特定された一の編成チャンネルが、前記出力手段により出力中の編成チャンネルとイベント共有しているか否かを、前記抽出手段により抽出された前記イベント共有情報に基づいて判断する第２判断手段と、
前記第２判断手段により、前記特定手段により特定された一の編成チャンネルが、前記出力手段により出力中の編成チャンネルとイベント共有していると判断された場合に、当該イベント共有している一の編成チャンネルへの切り替えをスキップするとともに、前記出力手段により出力中の編成チャンネルと同一トランスポートストリームに含まれる複数の編成チャンネルのうち、出力手段により出力中の編成チャンネルとイベント共有してないチャンネルに切り替えを行う切替手段と、
を備えることを特徴とする。
【発明の効果】
【０００８】
請求項１に記載の発明によれば、受信手段により、複数の編成チャンネルの放送番組データが多重化されたトランスポートストリームが受信され、同一トランスポートストリームに含まれる複数の編成チャンネルが割り当てられたチャンネル割当てキーと、チャンネルアップダウンキーと、を備えるとともに、ユーザによるキー操作を受け付けるキー操作部が備わり、順次切替手段により、キー操作部におけるチャンネルアップダウンキーが押下される度に、受信手段により受信されるトランスポートストリームに含まれる複数の編成チャンネルの中から、編成チャンネルが順次切り替えられ、出力手段により、受信手段により受信されるトランスポートストリームに含まれる複数の編成チャンネルのうち、切り替えられた編成チャンネルの放送番組データに基づいて出力が行われ、抽出手段により、受信手段により受信されるトランスポートストリームに含まれる編成チャンネルの放送番組データから、イベント共有情報が抽出され、第１判断手段により、キー操作部における一のチャンネル割当てキーのキー操作に基づいて、キー操作された当該一のチャンネル割当てキーに、出力手段により出力中の放送番組データの編成チャンネルが割り当てられているか否かが判断され、特定手段により、第１判断手段により、キー操作された一のチャンネル割当てキーに、出力手段により出力中の放送番組データの編成チャンネルが割り当てられていると判断された場合に、キー操作された当該チャンネル割当てキーに割り当てられた複数の編成チャンネルの中から一の編成チャンネルが、所定の順番に基づいて特定され、第２判断手段により、特定手段により特定された一の編成チャンネルが、出力手段により出力中の編成チャンネルとイベント共有しているか否かが、抽出手段により抽出されたイベント共有情報に基づいて判断され、切替手段により、第２判断手段により特定手段により特定された一の編成チャンネルが、出力手段により出力中の編成チャンネルとイベント共有していると判断された場合に、当該イベント共有している一の編成チャンネルへの切り替えがスキップされるとともに、出力手段により出力中の編成チャンネルと同一トランスポートストリームに含まれる複数の編成チャンネルのうち、出力手段により出力中の編成チャンネルとイベント共有していないチャンネルに切り替えが行われる。
したがって、チャンネル割当てキーのキー操作により、同一トランスポートストリーム内の複数の編成チャンネルのうち、一の編成チャンネルと同一の放送番組データを伝送する編成チャンネルへの切り替えが禁止され、相互に異なる放送番組データを伝送する編成チャンネル間でのみ切り替えが行われることとなるため、同一トランスポートストリーム内に、同一の放送番組データを伝送する複数の編成チャンネルと、当該複数の編成チャンネルの伝送する放送番組データと異なる放送番組データを伝送する編成チャンネルが存在する場合に、チャンネル割当てキーを用いて効率的なチャンネル選局操作を行うことができるデジタル放送受信装置を提供することができる。
【０００９】
請求項２に記載の発明によれば、受信手段により、複数の編成チャンネルの放送番組データが多重化されたトランスポートストリームが受信され、同一トランスポートストリームに含まれる複数の編成チャンネルが割り当てられたチャンネル割当てキーを備えるとともに、ユーザによるキー操作を受け付けるキー操作部が備わり、出力手段により、受信手段により受信されるトランスポートストリームに含まれる複数の編成チャンネルのうち、切り替えられた編成チャンネルの放送番組データに基づいて出力が行われ、抽出手段により、受信手段により受信されるトランスポートストリームに含まれる編成チャンネルの放送番組データから、イベント共有情報が抽出され、第１判断手段により、キー操作部における一のチャンネル割当てキーのキー操作に基づいて、キー操作された当該一のチャンネル割当てキーに、出力手段により出力中の放送番組データの編成チャンネルが割り当てられているか否かが判断され、特定手段により、第１判断手段により、キー操作された一のチャンネル割当てキーに、出力手段により出力中の放送番組データの編成チャンネルが割り当てられていると判断された場合に、キー操作された当該チャンネル割当てキーに割り当てられた複数の編成チャンネルの中から一の編成チャンネルが、所定の順番に基づいて特定され、第２判断手段により、特定手段により特定された一の編成チャンネルが、出力手段により出力中の編成チャンネルとイベント共有しているか否かが、抽出手段により抽出されたイベント共有情報に基づいて判断され、切替手段により、第２判断手段により、特定手段により特定された一の編成チャンネルが、出力手段により出力中の編成チャンネルとイベント共有していると判断された場合に、当該イベント共有している一の編成チャンネルへの切り替えがスキップされるとともに、出力手段により出力中の編成チャンネルと同一トランスポートストリームに含まれる複数の編成チャンネルのうち、出力手段により出力中の編成チャンネルとイベント共有していないチャンネルに切り替えが行われる。
したがって、チャンネル割当てキーのキー操作により、同一トランスポートストリーム内の複数の編成チャンネルのうち、一の編成チャンネルと同一の放送番組データを伝送する編成チャンネルがスキップされ、相互に異なる放送番組データを伝送する編成チャンネル間でのみ切り替えが行われることとなるため、同一トランスポートストリーム内に、同一の放送番組データを伝送する複数の編成チャンネルと、当該複数の編成チャンネルの伝送する放送番組データと異なる放送番組データを伝送する編成チャンネルが存在する場合に、チャンネル割当てキーを用いて効率的なチャンネル選局操作を行うことができるデジタル放送受信装置を提供することができる。
【発明を実施するための最良の形態】
【００１０】
以下、本発明の実施の形態を、図面を参照しながら詳細に説明する。
【００１１】
図１は、本実施形態におけるデジタル放送受信装置としてのデジタルテレビジョン受像機１００の要部構成を例示するブロック図である。
本実施形態のデジタルテレビジョン受像機１００は、図１に示すように、キー操作部としてのリモートコントローラ２と、このリモートコントローラ２により遠隔操作される受像機本体１と、を備えて構成されている。
【００１２】
図２は、本実施形態におけるデジタルテレビジョン受像機１００に備わるリモートコントローラ２の平面図である。
リモートコントローラ（以下、「リモコン」と称する。）２は、ユーザが受像機本体１に対して各種指示を入力するための複数のキーを備えており、ユーザによるキーの押下操作を検出して、押下されたキーに対応するリモコン信号を出力することにより、受像機本体１を遠隔操作する。具体的には、リモコン２を受像機本体１に向けた状態でユーザがキーを押下すると、押下されたキーに対応する赤外線等のリモコン信号が生成されて出力され、当該入力操作信号が受像機本体１の前面パネル等に設けられたリモコン信号受光部３において受信されることとなる。
具体的には、リモコン２は、例えば、図２に示すように、受像機本体１の電源をオン／オフする電源キー２１と、それぞれに「０」〜「１２」の数字が表示されるとともに、各々のトランスポートストリームに含まれる編成チャンネルが割り当てられたチャンネル割当てキーとしてのダイレクト選局キー２２（後述）と、チャンネル番号を「＋１」するチャンネルアップキー２３ａ及びチャンネル番号を「−１」するチャンネルダウンキー２３ｂから構成され、編成チャンネルの順次切り替えを行うチャンネルアップダウンキー２３（後述）と、地上デジタル放送を選択するための地上デジタルキー２４と、ＢＳ放送を選択するためのＢＳキー２５と、ＣＳ放送を選択するためのＣＳキー２６と、各種メニュー画面を映像出力部に表示させるメニューキー２７と、入力を確定する確定キー２８と、入力を消去するクリアキー２９と、音量を調節するボリュームアップダウンキー３０と、音声モードを切替選択する音声モード切替キー３１と、前の状態に戻るためのリターンキー３２と、等を備えている。
なお、このようなキー操作群が、受像機本体１の前面部等に設けられていても良い。
【００１３】
受像機本体１は、リモコン２からのリモコン信号を受信するリモコン信号受光部３と、放送信号を受信するアンテナ４と、アンテナ４により受信された放送信号から所定の放送信号を選局する受信手段としてのチューナ５と、チューナ５により選局された放送信号をトランスポートストリーム（以下、「ＴＳ」とする）に復調する復調部６と、復調部６により復調されたＴＳを分離する分離部７と、分離部７により分離されたストリームを復号するビデオデコーダ８及びオーディオデコーダ９と、ビデオデコーダ８により復号された映像信号に対して所定の処理を行う映像処理部１０と、オーディオデコーダ９により復号された音声信号に対して所定の処理を行う音声処理部１１と、映像処理部１０により処理された映像信号にＯＳＤデータを付加するＯＳＤ回路１２と、映像処理部１０により処理された映像信号を出力する表示部１３と、音声処理部１１により処理された音声信号を出力する音声出力部１４と、デジタルテレビジョン受像機１００全体を統括制御する制御部１５と、等を備えており、各部はバス１６により接続されている。
【００１４】
リモコン信号受光部３は、例えば、図示は省略するが、フォトダイオードと、ＳＵＢＣＰＵと、増幅部と、復調部と、デコーダと、等を備えて構成されており、リモコン２から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１５に対して出力する。
【００１５】
アンテナ４は、例えば、ＢＳアンテナ、ＣＳアンテナ、地上デジタルアンテナから構成されており、屋外において所定の方向に向けて配置され、図示しないテレビジョン放送局等から発信される高周波（RF）のテレビジョン放送信号（RF信号）を受信する。
チューナ５は、例えば、図示は省略するが、高周波増幅回路と、局部発振回路及び混合回路から成る周波数変換回路と、を備えて構成されており、アンテナ４等により入力されたテレビジョン放送信号を、高周波増幅回路において増幅し、混合回路において局部発振回路から出力される局部発振信号と混合する。さらに、特定の周波数を選局するための制御部１５からの制御出力に応じて、特定周波数帯の中間周波信号（IF信号）を受信し、当該中間周波信号に所定の処理を行って復調部６に出力する。
【００１６】
復調部６は、例えば、制御部１５からの制御に基づいて、チューナ５から出力された中間周波信号に対してデジタル復調や誤り訂正などの処理を実行し、ＴＳを生成して、分離部７に出力する。
ＴＳは、放送番組を構成する映像データ・音声データが符号化・パケット化されたＰＥＳ（Packetized Elementary Stream）が、１８８バイトの固定長のパケットに分割されることにより生成されたＴＳパケットの連続であり、それぞれのＴＳパケットには、当該ＴＳパケットの内容を識別するためのＰＩＤ（Packet Identifier：パケット識別子）が含まれている。
【００１７】
分離部７は、復調部６から入力されるＴＳからビデオストリーム、オーディオストリーム、ＰＳＩ（Program Specific Information:番組特定情報）／ＳＩ（Service Information: 番組配列情報）を分離する。
ＰＳＩは、ＰＭＴ（Program Map Table）、ＰＡＴ（Program Association Table）、ＮＩＴ（Network Information Table）、ＣＡＴ（Conditional Access Table）の４つのテーブルであり、番組の選択等に用いられる。このうち、各ＴＳパケットを識別するＰＩＤはＰＡＴに記述されており、ＰＭＴには、放送番組データを構成する映像・音声にそれぞれ割り当てられたＰＩＤが記述されている。分離部７は、復調部６からＴＳが入力されると、入力されたＴＳからＰＡＴを分離して、このＰＡＴに記述されているＰＩＤを識別する。さらに、識別したＰＩＤに基づいて、目的の編成チャンネルのＰＭＴを参照し、ＰＭＴのＰＩＤに基づいてＴＳから必要なＴＳパケットを分離する。そして、分離されたＴＳパケットのうち、ＭＰＥＧ２（Moving Picture Experts Group 2）規格下のビデオストリームをビデオデコーダ８に、オーディオストリームをオーディオデコーダ９に出力する。
また、ＳＩは、ＳＤＴ（Service Description Table）、ＥＩＴ（Event Information Table）、ＢＡＴ（Bouquet Association Table）、ＴＤＴ（Time Date Table）等の各種テーブルであり、イベント共有（番組共有）の有無の判別や、ＥＰＧ情報の表示等に用いられる。具体的には、一のＴＳ内に含まれる複数の編成チャンネルにより同じ放送番組データが伝送されるイベント共有が行われているか否かが、各編成チャンネルの放送番組データから分離したＳＩのＥＩＴの解析等により識別される。この場合、ＥＩＴはイベント共有情報として用いられることとなる。
【００１８】
ビデオデコーダ８は、分離部７から入力されたビデオストリームを復号し、逆ＤＣＴ変換や動き補償制御等を行い、映像データを生成して映像処理部１０に出力する。また、オーディオデコーダ９は、分離部７から入力されたオーディオストリームを復号し、音声データを生成して音声処理部１１に出力する。
【００１９】
映像処理部１０は、ビデオデコーダ８から入力された映像データに対して、Ｄ／Ａ変換等の各種処理を施し、映像信号を生成する。また、音声処理部１１は、オーディオデコーダ９から入力された音声データに対して、Ｄ／Ａ変換等の各種処理を施し、音声信号を生成する。生成された映像信号は表示部１３に出力され、音声信号は音声出力部１４に出力される。
【００２０】
ＯＳＤ回路１２は、制御部１５からの指示出力に応じて、映像処理部１０から出力された映像信号に、図示しないＯＳＤデータを合成する処理を行う。
【００２１】
表示部１３は、例えば、ＬＣＤ（Liquid Crystal Display）、ＰＤＰ（Plasma Display Panel）等のディスプレイ１３ａを備え、映像処理部１０から入力された映像信号に基づく映像を当該ディスプレイ１３ａに表示させる。
音声出力部１４は、例えば、スピーカ１４ａ等を備え、音声処理部１１から入力された音声信号に基づく音声を当該スピーカ１４ａにより出力させる。
【００２２】
制御部１５は、ＣＰＵ（Central Processing Unit）１５１、メモリ部１５２、ＲＯＭ（Read Only Memory）１５３等を備えて構成されている。
【００２３】
ＣＰＵ１５１は、受像機本体１の各部から入力された入力信号や、リモコン２における各種キーの押下操作によって入力された入力操作信号等に応じて、ＲＯＭ１５３に格納された各種プログラムを実行するとともに、実行にかかるプログラムに基づいて受像機本体１の各部に出力信号を出力することにより、デジタルテレビジョン受像機１００の動作全般を統括制御する。
【００２４】
メモリ部１５２は、例えば、ＲＡＭ（Random Access Memory）等の揮発性メモリからなるワークエリア１５２１を備えており、ＣＰＵ１５１によって各種プログラムが実行される際に生じる処理結果や、入力されたデータ等をこのワークエリア１５２１に記憶させる。
【００２５】
また、メモリ部１５２は、ＥＰＲＯＭ（Erasable Programmable ROM）等の不揮発性メモリからなるデータエリア１５２２を備えている。データエリア１５２２は、例えば、チャンネル情報１５２２ａ等を記憶している。
【００２６】
チャンネル情報１５２２ａは、例えば、図３に示すように、リモコン２に備わるダイレクト選局キー２２のそれぞれに対して、ＴＳの物理チャンネルと、そのＴＳを伝送する放送局名と、物理チャンネルの周波数と、ＴＳ内に含まれる編成チャンネルと、を対応付けて記憶するテーブルである。
ＣＰＵ１５１は、ダイレクト選局キー２２の押下に応じて生成されたリモコン信号が、リモコン信号受光部３を介して受像機本体１に入力されると、当該リモコン信号のリモコンキーＩＤに基づいて押下されたダイレクト選局キー２２を識別する。そして、チャンネル情報１５２２ａを参照し、押下されたダイレクト選局キー２２に対応付けられた物理チャンネルとその周波数に基づいて、ＴＳを受信する。さらに、受信したＴＳ内に、複数の編成チャンネルの放送番組データが多重化されている場合には、分離部７において、複数の編成チャンネルの中で最も小さい番号の編成チャンネル（以下、同一ＴＳ内に存在する複数の編成チャンネルの中で最も小さい番号の編成チャンネルを「主チャンネル」という。）の放送番組データであるＴＳパケットを分離させて出力させる。
例えば、何れのチャンネルも選局されていない状態又は他のチャンネルが選局されている状態で、ダイレクト選局キー「１」２２が押下されると、当該ダイレクト選局キー２２に対応付けられた物理チャンネルの周波数に基づいて、チューナ５によりＴＳが受信され、さらに当該ＴＳ内に「０１１」、「０１２」、「０１３」の３つの編成チャンネルが存在する場合には、主チャンネルである「０１１」の放送番組データが選局されて出力されることとなる。
【００２７】
ＲＯＭ１５３は、不揮発性メモリから成るプログラム格納エリアを有しており、具体的には、抽出プログラム１５３ａ、第１判断プログラム１５３ｂ、特定プログラム１５３ｃ、第２判断プログラム１５３ｄ、切替プログラム１５３ｅ、順次切替プログラム１５３ｆ、出力プログラム１５３ｇ等を備えている。
【００２８】
抽出プログラム１５３ａは、例えば、ＣＰＵ１５１に、チューナ５により受信される複数のチャンネルの放送番組データから、イベント共有情報を抽出する機能を実現させるためのプログラムである。
具体的には、ＣＰＵ１５１は、後述する第２判断プログラム１５３ｄの実行に際して、分離部７において、復調部６から入力されるＴＳに含まれる編成チャンネルの放送番組データからＳＩを抽出し、抽出したＳＩのＥＩＴを解析することにより、当該編成チャンネルの放送番組データに多重化されて送信されてくるイベント共有情報を抽出する。
ＣＰＵ１５１は、かかる抽出プログラム１５３ａを実行することにより、分離部７とともに抽出手段として機能する。
【００２９】
第１判断プログラム１５３ｂは、例えば、ＣＰＵ１５１に、リモコン２における一のダイレクト選局キー２２のキー操作に基づいて、キー操作された当該一のダイレクト選局キー２２に、出力プログラム１５３ｇの実行により出力中の放送番組データの編成チャンネルが割り当てられているか否かを判断する機能を実現させるためのプログラムである。
具体的には、リモコン２に備わる何れかのダイレクト選局キー２２の押下操作に基づいてリモコン信号が生成され、生成されたリモコン信号がリモコン信号受光部３を介して受像機本体１に入力されると、ＣＰＵ１５１は、当該リモコン信号のリモコンキーＩＤに基づいて、キー操作されたダイレクト選局キー２２を識別する。そして、メモリ部１５２に格納された前述のチャンネル情報１５２２ａを読み出して、識別したダイレクト選局キー２２に、出力プログラム１５３ｇの実行により出力中である視聴中の編成チャンネルが割り当てられているか否かに基づいて、視聴中の編成チャンネルに割り当てられたダイレクト選局キー２２が、キー操作されたか否かを判別する。
例えば、ダイレクト選局キー「１」２２に、「０１１」〜「０１３」の編成チャンネルが割り当てられており、さらに、視聴中の編成チャンネルが「０１１」である場合において、当該ダイレクト選局キー「１」２２が押下されると、ＣＰＵ１５１は、チャンネル情報１５２２ａを参照し、押下されたダイレクト選局キー「１」２２に、視聴中の編成チャンネル「０１１」が割り当てられているとして、視聴中の編成チャンネルが割り当てられたダイレクト選局キー２２がキー操作されたと判断する。
ＣＰＵ１５１は、かかる第１判断プログラム１５３ｂを実行することにより、第１判断手段として機能する。
【００３０】
特定プログラム１５３ｃは、例えば、ＣＰＵ１５１に、第１判断プログラム１５３ｂの実行において、キー操作された一のダイレクト選局キー２２に、出力プログラム１５３ｇの実行により出力中の放送番組データの編成チャンネルが割り当てられていると判断された場合に、キー操作された当該ダイレクト選局キー２２に割り当てられた複数の編成チャンネルの中から、一の編成チャンネルを、所定の順番に基づいて特定する機能を実現させるためのプログラムである。
具体的には、前述の第１判断プログラム１５３ｂの実行において、視聴中の編成チャンネルが割り当てられているダイレクト選局キー２２がキー操作されたと判断すると、ＣＰＵ１５１は、視聴中の編成チャンネルのＴＳに含まれる複数の編成チャンネルの中から、視聴中の編成チャンネルの次に番号の大きい編成チャンネルを特定する。
例えば、視聴中の編成チャンネル「０１１」が割り当てられたダイレクト選局キー「１」２２が押下されたと判断された場合、ＣＰＵ１５１は、視聴中の編成チャンネル「０１１」と同一ＴＳ内に存在する「０１１」〜「０１３」の３つの編成チャンネルの中から、視聴中の編成チャンネル「０１１」を「＋１」した「０１２」を特定する。
【００３１】
第２判断プログラム１５３ｄは、例えば、ＣＰＵ１５１に、特定プログラム１５３ｃの実行において特定された編成チャンネルが、出力プログラム１５３ｇの実行により出力中の編成チャンネルとイベント共有しているか否かを、抽出プログラム１５３ａの実行により抽出されたイベント共有情報に基づいて判断する機能を実現させるためのプログラムである。
具体的には、第１判断プログラム１５３ｂの実行において、視聴中の編成チャンネルが割り当てられたダイレクト選局キー２２がキー操作されたと判断され、特定プログラム１５３ｃの実行により、この編成チャンネルと同じＴＳ内に存在する複数の編成チャンネルの中から、視聴中の編成チャンネルの次に番号の大きい編成チャンネルが特定されると、ＣＰＵ１５１は、当該特定された編成チャンネルの伝送する放送番組データが、視聴中の編成チャンネルにより伝送される放送番組データと同一であるイベント共有が行われているか否かを、抽出プログラム１５３ａの実行により、これらの編成チャンネルの放送番組データからそれぞれ抽出したイベント共有情報に基づいて判断する。
例えば、視聴中の編成チャンネルが「０１１」である場合において、当該編成チャンネルが対応付けられたダイレクト選局キー「１」２２が押下されて、視聴中の編成チャンネルの番号を「＋１」した「０１２」が特定されると、ＣＰＵ１５１は、前述した抽出プログラム１５３ａの実行により、「０１１」及び「０１２」の各編成チャンネルの放送番組データに多重化されたＳＩをそれぞれ解析することにより、イベント共有情報を抽出する。そして、抽出されたイベント共有情報に基づいて、特定された編成チャンネル「０１２」が視聴中の編成チャンネル「０１１」とイベント共有しているか否かを判断する。例えば、「０１２」が「０１１」と同じ放送番組データを伝送している場合には、ＣＰＵ１５１は、特定されたチャンネル「０１２」が視聴中の編成チャンネル「０１１」とイベント共有していると判断し、また、特定された編成チャンネル「０１２」が視聴中の編成チャンネル「０１１」と異なる放送番組データを伝送している場合には、特定されたチャンネル「０１２」が視聴中の編成チャンネル「０１１」とイベント共有していないと判断する。
ＣＰＵ１５１は、かかる第２判断プログラム１５３ｄを実行することにより、第２判断手段として機能する。
【００３２】
切替プログラム１５３ｅは、例えば、ＣＰＵ１５１に、第２判断プログラム１５３ｄの実行により、特定プログラム１５３ｃの実行により特定された一の編成チャンネルが、出力プログラム１５３ｇの実行により出力中の編成チャンネルとイベント共有していると判断された場合に、当該イベント共有している一の編成チャンネルへの切り替えをスキップするとともに、出力プログラム１５３ｇの実行により出力中の編成チャンネルと同一ＴＳに含まれる複数の編成チャンネルのうち、出力プログラム１５３ｇの実行により出力中の編成チャンネルとイベント共有していないチャンネルに切り替えを行う機能を実現させるためのプログラムである。
具体的には、ＣＰＵ１５１は、第２判断プログラム１５３ｄの実行において、特定プログラム１５３ｃの実行において特定された編成チャンネルが、視聴中の編成チャンネルとイベント共有していないと判断されると、イベント共有していないと判断された当該編成チャンネルへの切り替えを行う。また、特定プログラム１５３ｃの実行において、特定プログラム１５３ｃの実行において特定された編成チャンネルが、視聴中の編成チャンネルとイベント共有していると判断された場合には、イベント共有していると判断された当該編成チャンネルへの切り替えをスキップする。
さらに、ＣＰＵ１５１は、イベント共有していると判断された編成チャンネルへの切り替えをスキップする場合には、前述の特定プログラム１５３ｃ及び第２判断プログラム１５３ｄを再び実行し、視聴中の編成チャンネルのＴＳに含まれる複数の編成チャンネルの中から、切り替えをスキップした編成チャンネルの次に番号の大きい編成チャンネルを新たに特定する。そして、新たに特定された編成チャンネルに基づいて上述の処理を繰り返し、特定された編成チャンネルが、視聴中の編成チャンネルとイベント共有しているかを判断する。ＣＰＵ１５１は、特定プログラム１５３ｃの実行において特定された編成チャンネルが、視聴中の編成チャンネルとイベント共有していないと判断された場合には、イベント共有していないと判断された編成チャンネルへの切り替えを行い、一方、特定プログラム１５３ｃの実行において特定された編成チャンネルが、視聴中の編成チャンネルとイベント共有していると判断された場合には、イベント共有していると判断された編成チャンネルへの切り替えをスキップし、再び特定プログラム１５３ｃ及び第２判断プログラム１５３ｄを実行する。
ＣＰＵ１５１は、ダイレクト選局キー２２が押下される度に、第１判断プログラム１５３ｂ・特定プログラム１５３ｃ・第２判断プログラム１５３ｄの実行による上述の処理を、第２判断プログラム１５３ｄの実行においてイベント共有していない編成チャンネルにチャンネル切り替えが行われるまで繰り返し行う。また、ＣＰＵ１５１は、同一ＴＳ内に存在する複数の編成チャンネルのうち、番号が最も大きい編成チャンネルに切り替え後に、ダイレクト選局キー２２の押下操作がなされると、再び番号が最も小さい主チャンネルに切り替えを行う。すなわち、ダイレクト選局キー２２を連続押下すると、互いにイベント共有を行っていない編成チャンネル間で、チャンネルが順次切り替えられていくこととなる。
【００３３】
例えば、特定プログラム１５３ｃの実行において、視聴中の編成チャンネル「０１１」を「＋１」した「０１２」が特定され、第２判断プログラム１５３ｄの実行において、特定された「０１２」が視聴中の編成チャンネル「０１１」とイベント共有していると判断された場合には、ＣＰＵ１５１は、イベント共有していると判断された編成チャンネル「０１２」をスキップするとともに、当該「０１２」を「＋１」した編成チャンネル「０１３」を新たに特定する。そして、新たに特定された編成チャンネル「０１３」が、視聴中の編成チャンネル「０１１」とイベント共有しているか否かを判断し、「０１３」が視聴中の編成チャンネル「０１１」とイベント共有していないと判断した場合には、当該「０１３」にチャンネルを切り替える。
したがって、視聴中の編成チャンネルが「０１１」である場合において、「０１２」が「０１１」とイベント共有を行い、「０１３」がこれらのチャンネルとイベント共有を行っていない場合には、ダイレクト選局キー「１」２２が押下操作される度に、「０１１」→「０１３」→「０１１」→…のように、互いにイベント共有をおこなっていない編成チャンネル間でチャンネルが切り替えられていくこととなる。
ＣＰＵ１５１は、かかる切替プログラム１５３ｅを実行することにより、切替手段として機能する。
【００３４】
順次切替プログラム１５３ｆは、リモコン２におけるチャンネルアップダウンキー２３が押下される度に、チューナ５により受信されるＴＳに含まれる複数の編成チャンネルの中から、編成チャンネルを順次切り替える機能を実現させるためのプログラムである。
具体的には、ＣＰＵ１５１は、リモコン２に備わるチャンネルアップキー２３ａ又はチャンネルダウンキー２３ｂが押下される度に、視聴中の編成チャンネルと同一ＴＳ内に他の編成チャンネルが存在するか否かを判断し、他の編成チャンネルが存在すると判断すると、同一ＴＳ内に存在する当該複数の編成チャンネルの間で、チャンネルアップキー２３ａ又はチャンネルダウンキー２３ｂの押下毎に、隣に存在する編成チャンネルに順次切り替えを行う。また、ＣＰＵ１５１は、同一ＴＳ内に存在する複数の編成チャンネルのうち、チャンネル番号が最も大きい／小さいチャンネルに切り替え後に、チャンネルアップキー２３ａ又はチャンネルダウンキー２３ｂの押下がなされると、チャンネル番号が最も小さいチャンネル／チャンネル番号が最も大きいチャンネルに切り替えを行う。
【００３５】
例えば、視聴中のチャンネルが「０１１」である場合において、リモコン２のチャンネルアップキー２３ａが押下されると、ＣＰＵ１５１は、「０１１」が含まれるＴＳに他の編成チャンネルがあるか否かを判断し、他の編成チャンネル「０１２」「０１３」があると判断すると、視聴中の編成チャンネル「０１１」のチャンネル番号を「＋１」した次の編成チャンネル「０１２」に切り替えを行う。ＣＰＵ１５１は、この処理をチャンネルアップキー２３ａの押下毎に繰り返し、チャンネル番号が最も大きい編成チャンネル（例えば、「０１３」）に切り替え後に、チャンネルアップキー２３ａの押下操作がなされると、チャンネル番号が最も小さい主チャンネル（例えば、「０１１」）に切り替えを行う。一方、チャンネルダウンキー２３ｂのキー操作の場合には、チャンネル番号が最も小さい主チャンネル（例えば、「０１１」）に切り替え後に、チャンネルダウンキー２３ｂの押下操作がなされると、チャンネル番号が最も大きい編成チャンネル（例えば、「０１３」）に切り替えを行う。
すなわち、チャンネルアップキー２３ａが押下操作される毎に、イベント共有の有無に拘わらず、「０１１」→「０１２」→「０１３」→「０１１」→…のように、同一ＴＳ内に存在する編成チャンネル間で、チャンネルが「＋１」ずつ順次切り替えられていくこととなる。また、同様に、チャンネルダウンキー２３ｂが押下操作される度に、イベント共有の有無に拘わらず、「０１３」→「０１２」→「０１１」→「０１３」→…のように、同一ＴＳ内に存在する編成チャンネル間で、チャンネルが「−１」ずつ、順次切り替えられていくこととなる。
したがって、チャンネルアップキー２３ａ又はチャンネルダウンキー２３ｂを押下すれば、同一ＴＳ内の複数の編成チャンネル間で、同一の放送番組を伝送するイベント共有を行っている編成チャンネルがスキップされることなく、同一ＴＳ内の全ての編成チャンネルに順次チャンネルを切り替えることができる。そのため、例えば、電波障害等により一の編成チャンネルの受信状態が悪い場合等であっても、チャンネルアップダウンキー２３のキー操作により、当該編成チャンネルとイベント共有を行う他の編成チャンネルに切り替えて視聴を行うことができる。また、例えば、イベント共有を行う他の編成チャンネルで、音声モードや画質の異なる同一の放送番組が放送されている場合には、チャンネルアップダウンキー２３の操作により、イベント共有を行う複数の編成チャンネルから所望の音声モード・画質の編成チャンネルを選択することが可能となる。
ＣＰＵ１５１は、かかる順次切替プログラム１５３ｆを実行することにより、順次切替手段として機能する。
【００３６】
出力プログラム１５３ｇは、例えば、ＣＰＵ１５１に、チューナ５により受信されるＴＳに含まれる複数の編成チャンネルのうち、切り替えられた編成チャンネルの放送番組データに基づいて出力を行う機能を実現させるためのプログラムである。
具体的には、ＣＰＵ１５１は、切替プログラム１５３ｅ又は順次切替プログラム１５３ｆの実行により、編成チャンネルが切り替えられると、当該切り替えに基づいて、分離部７において切り替えられた編成チャンネルのＴＳパケットを分離し、分離したＴＳパケットに対して、ビデオデコーダ８・オーディオデコーダ９においてデコード処理を行わせるとともに、映像処理部１０・音声処理部１１において所定の映像・音声処理を行わせる。そして、表示部１３に出力してディスプレイ１３ａに映像を表示させるとともに、映像出力部に出力してスピーカ１４ａから音声を出力させる。
ＣＰＵ１５１は、かかる出力プログラム１５３ｇを実行することにより、出力手段として機能する。
【００３７】
次に、図４のフローチャートを参照しながら、ダイレクト選局キー２２のキー操作によるチャンネル選局処理について説明する。
まず始めに、ステップＳ１において、ＣＰＵ１５１は、リモコン２に備わる何れかのダイレクト選局キー「Ｘ」２２が押下されたか否かを判断する。ＣＰＵ１５１は、ダイレクト選局キー「Ｘ」２２に基づくリモコン信号が制御部１５に入力されたことに基づいて、ダイレクト選局キー「Ｘ」２２が押下されたと判断すると（ステップＳ１；Ｙｅｓ）、ステップＳ２において、チャンネル情報１５２２ａを読み出して、押下されたダイレクト選局キー２２に割り当てられている物理チャンネルに、出力プログラム１５３ｇの実行により映像・音声を出力している視聴中の編成チャンネルが対応づけられているか否かに基づいて、キー操作されたダイレクト選局キー「Ｘ」２２に視聴中の編成チャンネルが割り当てられているか否かを判断する。ＣＰＵ１５１は、ステップＳ２において、キー操作されたダイレクト選局キー「Ｘ」２２に視聴中の編成チャンネルが割り当てられていないと判断すると（ステップＳ２；Ｎｏ）、ステップＳ３において、チャンネル情報１５２２ａにおいて、当該ダイレクト選局キー「Ｘ」２２に対応付けられている編成チャンネルの中の、番号が最も小さい主チャンネルを選局して、本処理を終了する。一方、ＣＰＵ１５１は、ステップＳ２において、キー操作されたダイレクト選局キー「Ｘ」２２に視聴中の編成チャンネルが割り当てられていると判断すると（ステップＳ２；Ｙｅｓ）、ステップＳ４に進む。
【００３８】
ステップＳ４において、ＣＰＵ１５１は、現在視聴中のチャンネルを「ＹＹＹ」とする。そして、ステップＳ５において、「ＹＹＹ」を「＋１」した「ＹＹＹ＋１」の編成チャンネルが存在するか否かを判断する。ＣＰＵ１５１は、ステップＳ５において、「ＹＹＹ」を「＋１」した「ＹＹＹ＋１」の編成チャンネルが存在すると判断すると（ステップＳ５；Ｙｅｓ）、ステップＳ７に進み、一方、ステップＳ５において、「ＹＹＹ」を「＋１」した「ＹＹＹ＋１」の編成チャンネルが存在しないと判断すると（ステップＳ５；Ｎｏ）、ステップＳ６において、「ＹＹ１」（すなわち、主チャンネル）を「ＹＹＹ＋１」として、ステップＳ７に進む。
すなわち、例えば、同一ＴＳ内に「０１１」〜「０１３」の３つの編成チャンネルが存在し、現在視聴中の編成チャンネル「ＹＹＹ」が「０１３」である場合には、「ＹＹＹ＋１」である「０１４」は存在しないため、同一ＴＳ内の複数の編成チャンネルのうち最も番号が小さい主チャンネルである「０１１」が「ＹＹＹ＋１」とされることとなる。
【００３９】
ステップＳ７において、ＣＰＵ１５１は、「ＹＹＹ＋１」の編成チャンネルは、「ＹＹＹ」の編成チャンネルとイベント共有しているか否かを、両チャンネルの放送番組データから抽出したイベント共有情報に基づいて判断する。ＣＰＵ１５１は、ステップＳ７において、「ＹＹＹ＋１」の編成チャンネルは、「ＹＹＹ」の編成チャンネルとイベント共有していると判断すると（ステップＳ７；Ｙｅｓ）、ステップＳ８において、「ＹＹＹ＋１」を「ＹＹＹ」とし、ステップＳ５に戻って以上の処理を繰り返す。一方、ＣＰＵ１５１は、ステップＳ７において、「ＹＹＹ＋１」の編成チャンネルは、「ＹＹＹ」の編成チャンネルとイベント共有していないと判断すると（ステップＳ７；Ｎｏ）、ステップＳ９において、「ＹＹＹ＋１」の編成チャンネルを選局してチャンネル切り替えを行い、本処理を終了する。
すなわち、例えば、「０１２」が「０１１」とイベント共有しており、「０１３」がこれらの編成チャンネルとイベント共有していない場合において、視聴中の編成チャンネル「ＹＹＹ」が「０１１」であると、ステップＳ７において、「ＹＹＹ＋１」である「０１２」は「ＹＹＹ」である「０１１」とイベント共有していると判断され、続くステップＳ８において、「０１２」が「ＹＹＹ」とされ、再びステップＳ５に進むこととなる。そして、ステップＳ５において、「ＹＹＹ＋１」であり「０１３」が存在すると判断され、ステップＳ７において、「ＹＹＹ＋１」である「０１３」は「ＹＹＹ」である「０１２」とイベント共有していないと判断されると、編成チャンネル「０１３」にチャンネルが切り替えられることとなる。
【００４０】
以上説明した本実施形態におけるデジタルテレビジョン受像機１００によれば、チューナ５より、複数の編成チャンネルの放送番組データが多重化されたＴＳが受信され、同一ＴＳに含まれる複数の編成チャンネルが割り当てられたダイレクト選局キー２２と、チャンネルアップダウンキー２３と、を備えるとともに、ユーザによるキー操作を受け付けるリモコン２が備わり、順次切替プログラム１５３ｆの実行により、リモコン２におけるチャンネルアップダウンキー２３が押下される度に、チューナ５により受信されるＴＳに含まれる複数の編成チャンネルの中から、編成チャンネルが順次切り替えられ、出力プログラム１５３ｇにより、チューナ５により受信されるＴＳに含まれる複数の編成チャンネルのうち、切り替えられた編成チャンネルの放送番組データに基づいて出力が行われ、抽出プログラム１５３ａの実行により、チューナ５により受信されるＴＳに含まれる編成チャンネルの放送番組データから、イベント共有情報が抽出され、第１判断プログラム１５３ｂの実行により、リモコン２における一のダイレクト選局キー２２のキー操作に基づいて、キー操作された当該一のダイレクト選局キー２２に、出力プログラム１５３ｇの実行により出力中の放送番組データの編成チャンネルが割り当てられているか否かが判断され、特定プログラム１５３ｃの実行により、第１判断プログラム１５３ｂの実行により、キー操作された一のダイレクト選局キー２２に、出力プログラム１５３ｇの実行により出力中の放送番組データの編成チャンネルが割り当てられていると判断された場合に、キー操作された当該ダイレクト選局キー２２に割り当てられた複数の編成チャンネルの中から一の編成チャンネルが、所定の順番に基づいて特定され、第２判断プログラム１５３ｄの実行により、特定プログラム１５３ｃの実行により特定された一の編成チャンネルが、出力プログラム１５３ｇの実行により出力中の編成チャンネルとイベント共有しているか否かが、抽出プログラム１５３ａの実行により抽出されたイベント共有情報に基づいて判断され、切替プログラム１５３ｅの実行により、第２判断プログラム１５３ｄの実行により特定プログラム１５３ｃの実行により特定された一の編成チャンネルが、出力プログラム１５３ｇの実行により出力中の編成チャンネルとイベント共有していると判断された場合に、当該イベント共有している一の編成チャンネルへの切り替えがスキップされるとともに、出力プログラム１５３ｇの実行により出力中の編成チャンネルと同一ＴＳに含まれる複数の編成チャンネルのうち、出力プログラム１５３ｇの実行により出力中の編成チャンネルとイベント共有していないチャンネルに切り替えが行われる。
したがって、ダイレクト選局キー２２の押下操作により、同一ＴＳ内の複数の編成チャンネルのうち、一の編成チャンネルと同一の放送番組データを伝送する編成チャンネルへの切り替えが禁止され、相互に異なる放送番組データを伝送する編成チャンネル間でのみ切り替えが行われることとなるため、同一ＴＳ内に、同一の放送番組データを伝送する複数の編成チャンネルと、当該複数の編成チャンネルの伝送する放送番組データと異なる放送番組データを伝送する編成チャンネルが存在する場合に、ダイレクト選局キー２２を用いて、効率的なチャンネル選局操作を行うことができるデジタルテレビジョン受像機１００を提供することができる。
【００４１】
なお、本発明は、上記実施形態の範囲に限られることなく、本発明の趣旨を逸脱しない範囲において、種々の改良並びに設計の変更を行っても良い。
例えば、イベント共有の有無の判別は、上記実施形態のように、放送番組データに重畳されたＳＩの解析により行う場合に限られず、他の方法を選択しても良い。
【図面の簡単な説明】
【００４２】
【図１】本実施形態におけるデジタルテレビジョン受像機の要部構成を例示するブロック図である。
【図２】本実施形態におけるデジタルテレビジョン受像機に備わるリモートコントローラの平面図である。
【図３】チャンネル情報の例示である。
【図４】ダイレクト選局キーのキー操作によるチャンネル選局処理を示すフローチャートである。
【符号の説明】
【００４３】
１００    デジタルテレビジョン受像機（デジタル放送受信装置）
２        リモートコントローラ（キー操作部）
２２      ダイレクト選局キー（チャンネル割当てキー）
２３      チャンネルアップダウンキー
２３ａ    チャンネルアップキー（チャンネルアップダウンキー）
２３ｂ    チャンネルダウンキー（チャンネルアップダウンキー）
５        チューナ（受信手段）
７        分離部（抽出手段）
１５１    ＣＰＵ（抽出手段、第１判断手段、特定手段、第２判断手段、切替手段、順次切替手段、出力手段）
１５３ａ  抽出プログラム（抽出手段）
１５３ｂ  第１判断プログラム（第１判断手段）
１５３ｃ  特定プログラム（特定手段）
１５３ｄ  第２判断プログラム（第２判断手段）
１５３ｅ  切替プログラム（切替手段）
１５３ｆ  順次切替プログラム（順次切替手段）
１５３ｇ  出力プログラム（出力手段）
【図１】
2008263534.tif 000003
【図２】
2008263534.tif 000004
【図３】
2008263534.tif 000005
【図４】
2008263534.tif 000006